(57)【要約】【課題】ユーザの設定方式で設定されたマルチメディアＣＲＢＴを被呼者に提供することが可能なマルチメディアＣＲＢＴリソースボックス展示方法及び展示装置を提供する。【解決手段】本発明は、マルチメディアＣＲＢＴリソースボックス展示方法を開示する。当該方法は、ユーザにより、マルチメディアＣＲＢＴカラーリングバックトーン（ＣＲＢＴ：Color Ring Back Tone）リソースボックスを設定し、マルチメディアＣＲＢＴ展示ルールを設定し、マルチメディアＣＲＢＴサービスの使用プロセスにおいて、前記マルチメディアＣＲＢＴ展示ルールに従って、前記リソースボックスからマルチメディアＣＲＢＴを選択して展示する。本発明はマルチメディアＣＲＢＴに対するユーザ個別の要求を満たし、ＣＲＢＴの多様なサポートを実現する。【選択図】図１
2013504274.tif 000002
【特許請求の範囲】
【請求項１】
ユーザにより、マルチメディアＣＲＢＴカラーリングバックトーン（ＣＲＢＴ：Color Ring Back Tone）リソースボックスを設定し、マルチメディアＣＲＢＴ展示ルールを設定し、
マルチメディアＣＲＢＴサービスの使用プロセスにおいて、前記マルチメディアＣＲＢＴ展示ルールに従って、前記リソースボックスからマルチメディアＣＲＢＴを選択して展示する
マルチメディアＣＲＢＴリソースボックス展示方法。
【請求項２】
ユーザにより、マルチメディアＣＲＢＴリソースボックスを設定するステップは、
ユーザにより、対応するマルチメディアＣＲＢＴを選択して前記リソースボックスにアップロードし、
ユーザにより、マルチメディアＣＲＢＴサーバによって提供される複数のマルチメディアＣＲＢＴリソースからマルチメディアＣＲＢＴを選択して前記リソースボックスに記憶し、又は
ユーザにより、対応するマルチメディアＣＲＢＴを選択して前記リソースボックスにアップロードし、及びユーザにより、前記マルチメディアＣＲＢＴサーバによって提供される複数のマルチメディアＣＲＢＴリソースからマルチメディアＣＲＢＴを選択して前記リソースボックスに記憶する
請求項１に記載の方法。
【請求項３】
前記マルチメディアＣＲＢＴ展示ルールは、
前記リソースボックスに記憶された複数のマルチメディアＣＲＢＴの順序に従って、前記ユーザの被呼者に、マルチメディアＣＲＢＴを順番に且つ循環的に展示し、又は
前記リソースボックスに記憶された複数のマルチメディアＣＲＢＴから１つのマルチメディアＣＲＢＴをランダムに選択して前記ユーザの被呼者に展示する
請求項１又は２に記載の方法。
【請求項４】
前記マルチメディアＣＲＢＴは、オーディオファイル、ビデオファイル、テキストファイル、イメージ及び電子名刺の少なくともいずれか１つを含む
請求項１又は２に記載の方法。
【請求項５】
ユーザにより定義された複数のマルチメディアＣＲＢＴを記憶するリソースボックスをユーザに提供する提供ユニットと、
ユーザにより、マルチメディアＣＲＢＴ展示ルールを設定する設定ユニットと、
呼び出しサービス過程において、前記マルチメディアＣＲＢＴ展示ルールに従って、前記リソースボックスからマルチメディアＣＲＢＴを選択して展示する展示ユニットと
を含むマルチメディアＣＲＢＴリソースボックス展示装置。
【請求項６】
前記リソースボックスに記憶された複数のマルチメディアＣＲＢＴは、
前記ユーザによりアップロードされ、
前記ユーザにより、前記マルチメディアＣＲＢＴサーバによって提供される複数のマルチメディアＣＲＢＴリソースから選択され、又は
前記ユーザによってアップロードされ、及び前記マルチメディアＣＲＢＴサーバによって提供される複数のマルチメディアＣＲＢＴリソースから選択される
請求項５に記載の装置。
【請求項７】
前記マルチメディアＣＲＢＴ展示ルールは、
前記リソースボックスに記憶された複数のマルチメディアＣＲＢＴの順序に従って、前記ユーザの被呼者に、マルチメディアＣＲＢＴを順番に且つ循環的に展示し、又は
前記リソースボックスに記憶された複数のマルチメディアＣＲＢＴから１つのマルチメディアＣＲＢＴをランダムに選択して前記ユーザの被呼者に展示する
請求項５又は６に記載の装置。
【請求項８】
前記マルチメディアＣＲＢＴは、オーディオファイル、ビデオファイル、テキストファイル、イメージ及び電子名刺の少なくともいずれか１つを含む
請求項５又は６に記載の装置。
【発明の詳細な説明】
【技術分野】
【０００１】
本発明は、ユーザ端末にマルチメディアカラーリングバックトーン（ＣＲＢＴ：Color Ring Back Tone。通話の呼び出し音（リングバックトーン）にオーディオコンテンツなど所望のコンテンツを用いる技術）を展示する技術に関し、特に、マルチメディアＣＲＢＴリソースボックス展示方法及び展示装置に関する。
【背景技術】
【０００２】
従来、ＣＲＢＴサービスがユーザに展示するコンテンツは、一般的に、オーディオフォーマットのメディア（歌曲、楽曲、自然音（例えば鳥のさえずり）、ユーザ自身が製作した個人用の呼び出し音など、様々な呼び出し音）に限られていた。サービスの使用プロセスにおいて、ユーザは、呼び出し中に展示する呼び出し音を設定することができる。これだけでなく、ユーザは、複数の呼び出し音を１つの呼び出し音ボックスにまとめ、特定の順序に従って呼び出し音ボックスから呼び出し音を選択し、選択した呼び出し音を次の呼び出し中に被呼者に対して展示することもできる。
【０００３】
マルチメディアＣＲＢＴサービスにおいて、展示されるコンテンツの種類はオーディオコンテンツだけでなく、ビデオ、テキスト、イメージ及び電子名刺（ｖＣａｒｄ）などのマルチメディアコンテンツ、又はそれらの組み合わせにまで拡大され得る。このようなコンテンツは、「マルチメディアＣＲＢＴリソース」と称される。従来のＣＲＢＴサービスにおける呼び出し音ボックスと同様に、ユーザは、このようなマルチメディアＣＲＢＴリソースである複数のリソースを１つのリソースボックスにまとめ、リソースボックスからリソースを選択し、選択したリソースを特定の順序に従って次にサービスを使用する際に展示したいという要望がある。
【０００４】
マルチメディアＣＲＢＴサービスにおいて、リソースのタイプは多種多様である。このため、リソースボックスをどのように規定及び設定するか、そして、サービスの使用プロセスにおいてリソースボックス内のコンテンツをどのように展示するか等を検討する必要がある。
【発明の概要】
【発明が解決しようとする課題】
【０００５】
以上に鑑み、本発明の主な目的は、ユーザの設定方式で設定されたマルチメディアＣＲＢＴを被呼者に提供することが可能なマルチメディアＣＲＢＴリソースボックス展示方法及び展示装置を提供することにある。
【課題を解決するための手段】
【０００６】
上記目的を達成するため、本発明の技術的なスキームは以下のように実現される。
【０００７】
マルチメディアＣＲＢＴリソースボックス展示方法は、
ユーザにより、マルチメディアＣＲＢＴカラーリングバックトーン（ＣＲＢＴ：Color Ring Back Tone）リソースボックスを設定し、マルチメディアＣＲＢＴ展示ルールを設定し、
マルチメディアＣＲＢＴサービスの使用プロセスにおいて、前記マルチメディアＣＲＢＴ展示ルールに従って、前記リソースボックスからマルチメディアＣＲＢＴを選択して展示する。
【０００８】
好ましくは、ユーザにより、マルチメディアＣＲＢＴリソースボックスを設定するステップは、
ユーザにより、対応するマルチメディアＣＲＢＴを選択して前記リソースボックスにアップロードし、
ユーザにより、マルチメディアＣＲＢＴサーバによって提供される複数のマルチメディアＣＲＢＴリソースからマルチメディアＣＲＢＴを選択して前記リソースボックスに記憶し、又は
ユーザにより、対応するマルチメディアＣＲＢＴを選択して前記リソースボックスにアップロードし、及びユーザにより、前記マルチメディアＣＲＢＴサーバによって提供される複数のマルチメディアＣＲＢＴリソースからマルチメディアＣＲＢＴを選択して前記リソースボックスに記憶する。
【０００９】
好ましくは、前記マルチメディアＣＲＢＴ展示ルールは、
前記リソースボックスに記憶された複数のマルチメディアＣＲＢＴの順序に従って、前記ユーザの被呼者に、マルチメディアＣＲＢＴを順番に且つ循環的に展示し、又は
前記リソースボックスに記憶された複数のマルチメディアＣＲＢＴから１つのマルチメディアＣＲＢＴをランダムに選択して前記ユーザの被呼者に展示する。
【００１０】
好ましくは、前記マルチメディアＣＲＢＴは、オーディオファイル、ビデオファイル、テキストファイル、イメージ及び電子名刺の少なくともいずれか１つを含むが、これに限られない。
【００１１】
マルチメディアＣＲＢＴリソースボックス展示装置は、
ユーザにより定義された複数のマルチメディアＣＲＢＴを記憶するリソースボックスをユーザに提供する提供ユニットと、
ユーザにより、マルチメディアＣＲＢＴ展示ルールを設定する設定ユニットと、
呼び出しサービス過程において、前記マルチメディアＣＲＢＴ展示ルールに従って、前記リソースボックスからマルチメディアＣＲＢＴを選択して展示する展示ユニットと
を含む。
【００１２】
好ましくは、前記リソースボックスに記憶された複数のマルチメディアＣＲＢＴは、
前記ユーザによりアップロードされ、
前記ユーザにより、前記マルチメディアＣＲＢＴサーバによって提供される複数のマルチメディアＣＲＢＴリソースから選択され、又は
前記ユーザによってアップロードされ、及び前記マルチメディアＣＲＢＴサーバによって提供される複数のマルチメディアＣＲＢＴリソースから選択される。
【００１３】
好ましくは、前記マルチメディアＣＲＢＴ展示ルールは、
前記リソースボックスに記憶された複数のマルチメディアＣＲＢＴの順序に従って、前記ユーザの被呼者に、マルチメディアＣＲＢＴを順番に且つ循環的に展示し、又は
前記リソースボックスに記憶された複数のマルチメディアＣＲＢＴから１つのマルチメディアＣＲＢＴをランダムに選択して前記ユーザの被呼者に展示する。
【００１４】
好ましくは、前記マルチメディアＣＲＢＴは、オーディオファイル、ビデオファイル、テキストファイル、イメージ及び電子名刺の少なくともいずれか１つを含むが、これに限られない。
【発明の効果】
【００１５】
本発明において、マルチメディアＣＲＢＴサーバは、ユーザによって選択されたマルチメディアＣＲＢＴ又はユーザによってアップロードされたマルチメディアＣＲＢＴファイルを記憶するマルチメディアＣＲＢＴリソースボックスを、ユーザに提供する。また、マルチメディアＣＲＢＴサーバは、ユーザにより設定されるマルチメディアＣＲＢＴ展示ルールを受け付ける。これにより、ユーザの呼び出しサービスを受信した場合、ユーザによって設定された展示ルールに従って、ユーザ所望のマルチメディアＣＲＢＴを被呼者に展示することができる。これにより、マルチメディアＣＲＢＴに対するユーザ個別の要求を満たし、ＣＲＢＴの多様なサポートを実現する。
【図面の簡単な説明】
【００１６】
【図１】本発明に係るマルチメディアＣＲＢＴリソースボックス展示方法のフローチャートである。
【図２】本発明に係るマルチメディアＣＲＢＴリソースボックス展示装置の構成を示す図である。
【発明を実施するための形態】
【００１７】
本発明の基本な着想によれば、マルチメディアＣＲＢＴサーバは、ユーザによって選択されたマルチメディアＣＲＢＴ又はユーザによってアップロードされたマルチメディアＣＲＢＴファイルを記憶するマルチメディアＣＲＢＴリソースボックスを、ユーザに提供する。また、マルチメディアＣＲＢＴサーバは、ユーザにより設定されるマルチメディアＣＲＢＴ展示ルールを受け付ける。これにより、ユーザの呼び出しサービスを受信した場合、ユーザによって設定された展示ルールに従って、ユーザ所望のマルチメディアＣＲＢＴを被呼者に展示することができる。これにより、マルチメディアＣＲＢＴに対するユーザ個別の要求を満たし、ＣＲＢＴの多様なサポートを実現する。
【００１８】
本発明の目的、技術的なスキーム、利点を更に明瞭にするため、以下、図を参照しながら実施形態を挙げて本発明を更に詳細に説明する。
【００１９】
図１は、本発明に係るマルチメディアＣＲＢＴリソースボックス展示方法を示すフローチャートである。図１に示すように、マルチメディアＣＲＢＴリソースボックス展示方法は、以下のステップを含む。
【００２０】
ステップ１０１において、ユーザにマルチメディアＣＲＢＴリソースボックスを提供する。
【００２１】
本発明は、以下のような技術を実現可能とすることを目的とする。すなわち、マルチメディアＣＲＢＴのユーザは、ユーザ自身でリソースボックスを設定する。あるいは、ユーザは、サービスプロバイダ（SP：Service Provider）により設定されたリソースボックスを購入する。そして、ユーザは、リソースボックス展示ルールを設定する。サービスの使用プロセスにおいて、ユーザにより設定された展示ルールに従って、リソースボックスからリソースを選択し、展示する。事業者は、マルチメディアＣＲＢＴサーバを介して、マルチメディアＣＲＢＴリソースボックスをユーザに提供する。このマルチメディアＣＲＢＴリソースボックスは、各種のマルチメディアＣＲＢＴ（例えば、オーディオファイル、ビデオファイル、テキストファイル、イメージ、電子名刺（VCard）を記憶する。ここで、オーディオコンテンツは、歌曲、音楽、音声などである。ビデオコンテンツは、映画のワンシーン、ユーザが撮影した動画のワンシーンなどである。テキストは、ユーザ情報や、プライベートなコンテンツを示す文章である。イメージは、ユーザによって設定され、所定の意味や個人情報を示すイメージリソースである。VCardは、氏名、住所、電話番号、メールアドレス、ロゴマーク及び写真などの連絡先情報が記録された電子名刺である。それぞれのリソースタイプにつき、複数のリソースが存在し得る。例えば、ユーザは、テキストとして、ユーザ自身の情報を示すテキストコンテンツを設定することもできるし、ユーザ自身の興味や気分を示すプライベートなテキストコンテンツを多様に設定することもできる。ユーザは、VCardとして、氏名及び住所などの基本的な情報だけでなく、さまざまなロゴマーク及び写真を設定することもできる。これにより、１人のユーザに関して複数のVCardを生成し、様々な条件に応じて複数のVCardを展示し分けることができる。
【００２２】
リソースボックスは、同一タイプの複数のマルチメディアＣＲＢＴリソースから構成される。リソースボックスから１つのリソースを選択して展示するルールを予め定義してもよい。リソースボックスは、上記の各種のマルチメディアＣＲＢＴリソースの組み合わせであってもよい。
【００２３】
マルチメディアＣＲＢＴサーバにおいて、マルチメディアＣＲＢＴリソースは、表１に示すフィールドを記憶する。
【００２４】
【表１】
2013504274.tif 000003
【００２５】
リソースボックスにおいて、マルチメディアＣＲＢＴリソースは、表２に示すフィールドを記憶する。
【００２６】
【表２】
2013504274.tif 000004
【００２７】
マルチメディアＣＲＢＴサービスプロセスにおいて、マルチメディアＣＲＢＴサービスシステムは、ユーザの設定に応じて使用されるリソースボックスを確定し、必要であれば、リソースボックスのメディアタイプに応じてメディアネゴシエーションを行い、リソースボックス展示ルールに従ってリソースボックスから展示するリソースを確定し、確定したメディアリソースを展示する。
【００２８】
ステップ１０２において、ユーザによって開始された発呼サービスプロセスにおいて、ユーザによって設定されたマルチメディアＣＲＢＴ展示ルールに従って、リソースボックスから被呼者に用いるマルチメディアＣＲＢＴを選択し、被呼者に展示する。
【００２９】
マルチメディアＣＲＢＴサービスでは、一般的に、１つの実用場面に１つのリソースが選択されて展示される。リソースの選択は、所定の優先ルールに従って行われる。例えば、ある特定のユーザ（被呼者）に対しては、サービスの使用プロセスにおいて、特定の決まったリソースを展示する。サービスを個人用として便利に使用するために、ユーザは、サービスを２回使用する場合、同じリソースが重複して展示されるのを望まない。例えば、呼び出し中に、同一発呼者にとって、前回の呼び出し時には呼び出し音リソースＡが再生され、今回の呼び出し時には呼び出し音リソースＢが再生される。これにより、良いサービス体験をユーザに提供することができる。サービスの使用プロセスにおいて、一般的に、リソースの再生前にリソースのメディアネゴシエーションを行う。このため、ある特定のリソースボックスに含まれる全てのリソースのメディアタイプは同一である必要がある。これにより、サービスの使用プロセスにおいて行われるメディア情報のインタラクションの利便性が向上する。
【００３０】
リソースボックス展示ルールは、リソースボックスに含まれるリソースの展示順序である。展示順序には、ランダム展示及び順番展示の２つの種類がある。ランダム展示では、リソースボックスを使用する都度、リソースボックスから１つのリソースをランダムに選択して展示する。順番展示では、リソースボックスを使用する都度、リソースの番号に従ってリソースを順番に展示する。展示ルールは、表３に示すフィールドを記憶する。
【００３１】
【表３】
2013504274.tif 000005
【００３２】
マルチメディアＣＲＢＴサービスプロセスにおいて、マルチメディアＣＲＢＴサービスシステムは、ユーザの設定に応じて使用されるリソースボックスを確定し、必要であれば、リソースボックスのメディアタイプに応じてメディアネゴシエーションを行い、リソースボックス展示ルールに従ってリソースボックスから展示するリソースを確定し、確定したメディアリソースを展示する。
【００３３】
以下、実施形態を挙げて本発明に係る技術的なスキームの本質を更に説明する。
【００３４】
ユーザは、ユーザ自身のリソースボックスを設定する。このリソースボックスのタイプは「Audio」（即ち、オーディオフォーマットのメディアリソース）である。リソースボックスは、４つのオーディオリソースから構成される。この４つのオーディオリソースのIDは、それぞれ、AuRes001、AuRes002、AuRes003、AuRes004である。それぞれのリソースIDによって示されるリソース名及びリソース情報は省略する。一方、ユーザは、リソースボックス展示ルールを順番展示に設定する。前回のサービスの使用プロセスにおいて、このリソースボックスによって展示されたリソースのCurrentResourceIDは、AuRes002である。
【００３５】
マルチメディアＣＲＢＴサービスの新しい使用プロセスにおいて、例えば、ユーザは新しい呼び出しを受信し、マルチメディアＣＲＢＴサービスサーバは前記リソースボックスを使用すると確定する。まず、マルチメディアＣＲＢＴサービスサーバは、相手ユーザとの間でオーディオメディアネゴシエーションを行う。ネゴシエーションが成功すると、展示制御モジュールは、ユーザによって設定された展示ルール（順番に且つ循環的に展示する）に応じて、問い合わせを行い、前回のサービスでの使用リソースがAuRes002であることを認識する。これにより、リソースIDの順番に応じて、今回のサービス使用において展示されるリソースがAuRes003であることを確定し、これによって、相手ユーザにAuRes003リソースを展示する。
【００３６】
図２は、本発明のマルチメディアＣＲＢＴリソースボックス展示装置の構成を示す図である。図２に示すように、本発明に係るマルチメディアＣＲＢＴリソースボックス展示装置は、提供ユニット２０と、設定ユニット２１と、展示ユニット２２とを含む。提供ユニット２０は、ユーザによって確定された複数のマルチメディアＣＲＢＴが記憶されたマルチメディアＣＲＢＴリソースボックスを、ユーザに提供する。設定ユニット２１は、ユーザにより、複数のマルチメディアＣＲＢＴ展示ルールを設定する。展示ユニット２２は、ユーザによって開始された呼び出しサービス中に、ユーザにより設定されたマルチメディアＣＲＢＴ展示ルールに従って、リソースボックスから被呼者に用いるマルチメディアＣＲＢＴを選択し、被呼者に展示する。ここで、リソースボックスに記憶された複数のマルチメディアＣＲＢＴリソースは、ユーザによってアップロードされる。あるいは、リソースボックスに記憶された複数のマルチメディアＣＲＢＴリソースは、マルチメディアＣＲＢＴサーバによって提供される複数のマルチメディアＣＲＢＴリソースからユーザによって選択される。あるいは、前記リソースボックスに記憶された複数のマルチメディアＣＲＢＴは、ユーザによってアップロードされたマルチメディアＣＲＢＴと、マルチメディアＣＲＢＴサーバによって提供される複数のマルチメディアＣＲＢＴリソースから選択されたマルチメディアＣＲＢＴとである。マルチメディアＣＲＢＴ展示ルールは、リソースボックスに記憶されたマルチメディアＣＲＢＴの順序に従って、前記ユーザによって呼び出しされる被呼者に、複数のマルチメディアＣＲＢＴを順番に且つ循環的に展示する、というものである。あるいは、マルチメディアＣＲＢＴ展示ルールは、リソースボックスに記憶された複数のマルチメディアＣＲＢＴから１つをランダムに選択し、ユーザによって呼び出しされる被呼者に展示する、というものである。マルチメディアＣＲＢＴは、オーディオファイル、ビデオファイル、テキストファイル、イメージ及び電子名刺の中の少なくとも１つを含むが、これに限らない。
【００３７】
当業者には、図２に示すマルチメディアＣＲＢＴリソースボックス展示装置が前記マルチメディアＣＲＢＴリソースボックス展示方法を実現するために設定されたものであり、図２に示す各処理ユニットの実現機能が前記方法における関連記載を参照しながら理解できることを理解されたい。図２に示す装置における各処理ユニットの機能は、プロセッサでの動作するプログラムによって実現されてもよく、具体的な論理回路によって実現されてもよい。
【００３８】
以上、本発明の好ましい実施形態に過ぎず、本発明の保護範囲を限定するものではない。
【図１】
2013504274.tif 000006
【図２】
2013504274.tif 000007
【国際調査報告】
2013504274.tif 000008
2013504274.tif 000009
2013504274.tif 000010
2013504274.tif 000011